(57)【要約】【課題】移動可能な照度センサを用いて適切に照明制御を行う。【解決手段】照明負荷による照明光出力を制御する制御器と；照度を計測し、計測した照度情報を送信する照度センサと；照明負荷を制御する制御器と照度センサとの対応情報が記憶される記憶手段と、照度センサから送られる照度情報を受けて記憶手段の情報から特定した制御器に照度情報に対応する照明光出力の制御を指示する光制御信号を送信する光制御信号送信手段２２と、記憶手段２１の情報を設定する場合に、所定照明負荷の照明光出力を所定タイミングで変化させる光制御信号を送信すると共に該設定用の光制御信号の送信に応じて得られる各照度センサ毎の照度情報変化に基づき照明負荷を制御する制御器と照度センサとの対応情報を作成して記憶手段に記憶する情報設定手段２３とを備える照明制御コントローラとを具備する。【選択図】図１
2009158183.tif 000002
【特許請求の範囲】
【請求項１】
照明光を射出する照明負荷と；
照明負荷による照明光出力を制御する制御器と；
照度を計測し、計測した照度情報を送信する照度センサと；
照明負荷を制御する制御器と照度センサとの対応情報が記憶される記憶手段と、照度センサから送られる照度情報を受けて該照度センサと対応付けられた制御器を記憶手段の情報から特定し、特定した制御器に照度情報に対応する照明光出力の制御を指示する光制御信号を送信する光制御信号送信手段と、記憶手段の情報を設定する場合に、所定照明負荷の照明光出力を所定タイミングで変化させる光制御信号を送信すると共に該設定用の光制御信号の送信に応じて得られる各照度センサ毎の照度情報変化に基づき照明負荷を制御する制御器と照度センサとの対応情報を作成して記憶手段に記憶する情報設定手段とを備える照明制御コントローラと
を具備することを特徴とする照明制御システム。
【請求項２】
情報設定手段は、複数の照明負荷の照明光出力が変化をするタイミングにおいて照度センサの照度変化を検出し、最も大きく照度情報が変化したときに制御された照明負荷を特定し、当該照明負荷を制御する制御器と当該照度センサとを対応付けることを特徴とする請求項１に記載の照明制御システム。
【請求項３】
情報設定手段は、一つの照明負荷の照明光出力変化に対する複数の照度センサの検出照度を比較し、最も大きな検出照度情報が得られた照度センサを特定し、特定された当該照度センサと当該所定照明負荷を制御する制御器とを対応付けることを特徴とする請求項１に記載の照明制御システム。
【請求項４】
照明光を射出する照明負荷と；
照明負荷による照明光出力を制御する制御器と；
制御器と対応付けされるとともに照度を計測し、計測した照度情報を送信する第１の照度センサと；
前記第１の照度センサに対応付けされた制御器と対応付けされるとともに照度を計測し、計測した照度情報を送信する第２の照度センサと；
第１及び第２の照度センサにより計測された照度の履歴情報が記憶される履歴記憶手段と、得られている第１の照度センサと第２の照度センサによる計測照度に所定以上の差が生じたか否か検出する検出手段と、検出手段により差が生じていないことが検出されている場合に第１及び第２の照度センサから送られる照度情報を受けてこれらの照度センサと対応付けられた制御器に照度情報に対応する照明光出力の制御を指示する光制御信号を送信する一方、検出手段により所定以上の差が生じたことが検出された場合に、履歴記憶手段に記憶された履歴情報の照度情報に対応する照明光出力の制御を指示する光制御信号をこれらの照度センサと対応付けられた制御器に送信する光制御信号送信手段とを備える照明制御コントローラと
を具備することを特徴とする照明制御システム。
【請求項５】
照度センサに生じた異常状態を報知する報知手段を備え、
照明制御コントローラには、検出手段により所定以上の差が生じたことが検出された場合に、報知手段に対して異常状態を報知させる報知制御手段が備えられていることを特徴とする請求項４に記載の照明制御システム。
【発明の詳細な説明】
【技術分野】
【０００１】
この発明は、照度センサを用いて照明負荷の照明光出力の制御を行う照明制御システムに関するものであり、特に移動可能な照度センサを用いて構成した照明制御システムに関するものである。
【背景技術】
【０００２】
従来、照度センサは固定的に照明器具近くの天井などに設けられるものであり、部屋のレイアウト変更などが行われた場合には再度照度を測定して、主操作盤に設定する必要があるため、ワイヤレスの照度センサが提供されている。このワイヤレスの照度センサを用いた調光制御により、照明負荷によって照明される任意の場所において、所望の照度となるよう照明負荷の調光出力の調整を容易に行うことができるようになった（特許文献１参照）。
【０００３】
上記のような移動可能な照度センサを用いて構成した照明制御システムにおいても、照度センサと照度検出対象の照明負荷とを対応付けを行う必要があり、この作業が煩わしものである。また、システムの運用中において照度センサが故障したような場合においては、新たな照度センサと取り換えを行うまで他の照度センサに代替させて照度検出して照明光出力の制御を行うことができれば便利である。
【０００４】
更に、移動可能な照度センサは机上や床上等に配置されて使用されるものであり、照度検出窓が物や人により覆われて適切に照度検出が行われないことがあるなどの問題点がある。
【特許文献１】特開平９−２６６０７２号公報
【発明の開示】
【発明が解決しようとする課題】
【０００５】
本発明は上記のような従来の照明制御システムが有する課題を解決せんとしてなされたもので、その目的は、移動可能な照度センサを用いて適切に照明制御を行うことのできる照明制御システムを提供することである。
【課題を解決するための手段】
【０００６】
本発明に係る照明制御システムは、照明光を射出する照明負荷と；照明負荷による照明光出力を制御する制御器と；照度を計測し、計測した照度情報を送信する照度センサと；照明負荷を制御する制御器と照度センサとの対応情報が記憶される記憶手段と、照度センサから送られる照度情報を受けて該照度センサと対応付けられた制御器を記憶手段の情報から特定し、特定した制御器に照度情報に対応する照明光出力の制御を指示する光制御信号を送信する光制御信号送信手段と、記憶手段の情報を設定する場合に、所定照明負荷の照明光出力を所定タイミングで変化させる光制御信号を送信すると共に該設定用の光制御信号の送信に応じて得られる各照度センサ毎の照度情報変化に基づき照明負荷を制御する制御器と照度センサとの対応情報を作成して記憶手段に記憶する情報設定手段とを備える照明制御コントローラとを具備することを特徴とする。
【０００７】
照明負荷は、蛍光灯、ＬＥＤ（液晶表示器）やＥＬ（エレクトロ・ルミネッセンス）による照明器を含む。照明負荷と制御器は照明器具に一体化されていても、或いは照明負荷と制御器が別体であっても良い。移動可能な照明センサは、光或いは電波による無線通信や伝送線による有線通信により照度情報を送信する。照度センサから送信される信号は、照明制御コントローラが直接に受信しても良いし、照明制御コントローラに接続される伝送路に設けた受信器を介して間接的に受信するようにしても良い。受信器は、照明負荷と制御器が一体化された照明器具内に設けても良い。設定用の光制御信号に対応した照明負荷の照明光制御は１００Ｈｚ〜２００ＫＨｚ程度において行われ、照度センサのサンプリング間隔は適宜設定可能であり、例えば１μｓｅｃ〜１ｍｓｅｃ程度とすることができる。照明負荷の照明光制御において、光出力減光制御する場合に消灯レベルとすることなく、最低レベルを全光の２０％程度に調光制御すると、点滅がスムーズに行われるので好適である。
【０００８】
本発明に係る照明制御システムでは、情報設定手段が、複数の照明負荷の照明光出力が変化をするタイミングにおいて照度センサの照度変化を検出し、最も大きく照度情報が変化したときに制御された照明負荷を特定し、当該照明負荷を制御する制御器と当該照度センサとを対応付けることを特徴とする。
【０００９】
本発明に係る照明制御システムでは、情報設定手段が、一つの照明負荷の照明光出力変化に対する複数の照度センサの検出照度を比較し、最も大きな検出照度情報が得られた照度センサを特定し、特定された当該照度センサと当該所定照明負荷を制御する制御器とを対応付けることを特徴とする。
【００１０】
本発明に係る照明制御システムは、照明光を射出する照明負荷と；照明負荷による照明光出力を制御する制御器と；制御器と対応付けされるとともに照度を計測し、計測した照度情報を送信する第１の照度センサと；前記第１の照度センサに対応付けされた制御器と対応付けされるとともに照度を計測し、計測した照度情報を送信する第２の照度センサと；第１及び第２の照度センサにより計測された照度の履歴情報が記憶される履歴記憶手段と、得られている第１の照度センサと第２の照度センサによる計測照度に所定以上の差が生じたか否か検出する検出手段と、検出手段により差が生じていないことが検出されている場合に第１及び第２の照度センサから送られる照度情報を受けてこれらの照度センサと対応付けられた制御器に照度情報に対応する照明光出力の制御を指示する光制御信号を送信する一方、検出手段により所定以上の差が生じたことが検出された場合に、履歴記憶手段に記憶された履歴情報の照度情報に対応する照明光出力の制御を指示する光制御信号をこれらの照度センサと対応付けられた制御器に送信する光制御信号送信手段とを備える照明制御コントローラとを具備することを特徴とする。
【００１１】
第１の照度センサと第２の照度センサは、いずれかが移動可能な照度センサであり、他方が固定設置される照度センサであることが望ましい。検出手段により差が生じていないことが検出されている場合に第１及び第２の照度センサから送られる照度情報の平均値を用いるようにしても良いし、時刻などに応じて予め定めた一方の照度センサから送られる照度情報を用いるようにしても良い。
【００１２】
本発明に係る照明制御システムは、照度センサに生じた異常状態を報知する報知手段を備え、照明制御コントローラには、検出手段により所定以上の差が生じたことが検出された場合に、報知手段に対して異常状態を報知させる報知制御手段が備えられていることを特徴とする。ここに、報知手段は音声または光の少なくとも一方による報知を行うものとし、設けられる位置は照度センサを特定できる位置が好ましい。
【発明の効果】
【００１３】
本発明に係る照明制御システムは、照明負荷を制御する制御器と照度センサとの対応情報が記憶される記憶手段の情報を設定する場合に所定照明負荷の照明光出力を所定タイミングで変化させる光制御信号を送信すると共に該設定用の光制御信号の送信に応じて得られる各照度センサ毎の照度情報変化に基づき照明負荷を制御する制御器と照度センサとの対応情報を作成して記憶手段に記憶するので、人手を煩わせることなく容易に記憶手段の情報を設定することが可能である。
【００１４】
本発明に係る照明制御システムでは、情報設定手段が、複数の照明負荷の照明光出力が変化をするタイミングにおいて照度センサの照度変化を検出し、最も大きく照度情報が変化したときに制御された照明負荷を特定し、当該照明負荷を制御する制御器と当該照度センサとを対応付けるので、当該照度センサに対して最も照明光による影響が強い照明負荷を制御する制御器と当該照度センサを対応付けすることができ好適である。
【００１５】
本発明に係る照明制御システムでは、情報設定手段が、一つの照明負荷の照明光出力変化に対する複数の照度センサの検出照度を比較し、最も大きな検出照度情報が得られた照度センサを特定し、特定された当該照度センサと当該所定照明負荷を制御する制御器とを対応付けるので、所定照明負荷の照明光に対して最も反応する照度センサを選定して、当該照度センサと当該所定照明負荷を制御する制御器とを対応付けることができ好適である。
【００１６】
本発明に係る照明制御システムでは、得られている第１の照度センサと第２の照度センサによる計測照度に所定以上の差が生じたか否か検出し、差が生じていないことが検出されている場合に第１及び第２の照度センサから送られる照度情報を受けてこれらの照度センサと対応付けられた制御器に照度情報に対応する照明光出力の制御を指示する光制御信号を送信する一方、所定以上の差が生じたことが検出された場合に、履歴記憶手段に記憶された履歴情報の照度情報に対応する照明光出力の制御を指示する光制御信号をこれらの照度センサと対応付けられた制御器に送信するので、一方の照度センサが異常状態となったようなときに履歴情報を用いて適切に照明制御を行うことができ、誤制御を防止することが可能である。
【００１７】
本発明に係る照明制御システムでは、所定以上の差が生じたことが検出された場合に、報知手段に対して異常状態を報知させるので、照度センサの照度検出面が物や人で覆われた状態の場合に報知を行い、異常から復旧することを可能とする。
【発明を実施するための最良の形態】
【００１８】
以下添付図面を参照して本発明の照明制御システムの実施形態を説明する。各図において、同一の構成要素には同一の符号を付して重複する説明を省略する。
【００１９】
図１には、第１の実施形態に係る照明制御システムの構成図が示されている。このシステムは、照明制御コントローラ２０が伝送路３０を介して制御器（調光を行う場合には、調光器）１０−１〜１０−４へ光制御信号（調光信号もしくは点灯・消灯の制御信号）を送り、制御器１０−１〜１０−４がそれぞれ接続された照明負荷４０−１〜４０−４の照明制御を行うように構成されている。制御器１０−１〜１０−４と照明負荷４０−１〜４０−４の数は例示に過ぎない。
【００２０】
このシステムでは、照明負荷４０−１〜４０−４による照明光の照度を計測するためのワイヤレス照度センサ６０−１〜６０−４が設けられている。ここでは、照明負荷４０−１とワイヤレス照度センサ６０−１が対応付けられ、照明負荷４０−２とワイヤレス照度センサ６０−２が対応付けられ、照明負荷４０−３とワイヤレス照度センサ６０−３が対応付けられ、照明負荷４０−４とワイヤレス照度センサ６０−４が対応付けられている。なお、このように一対一に対応付けられていることが必須ではない。
【００２１】
ワイヤレス照度センサ６０−１〜６０−４は同一の構成であるので、ワイヤレス照度センサ６０−１を代表として説明する。ワイヤレス照度センサ６０−１は、照度を感知するセンサ部６２と、感知した照度を情報化して送信部６３から送信する制御部６１と、送信を行う送信部６３を備えている。
【００２２】
ワイヤレス照度センサ６０−１〜６０−４から送られる情報には、図２に示すように照度センサの識別情報と、計測した照度情報、計測時の時刻情報が１セットにされて配置されている。ワイヤレス照度センサ６０−１〜６０−４は、通常時には例えば５分間隔で照度の計測と計測した照度情報の送信を繰り返しているが、照明負荷４０−１〜４０−４による高速点滅が開始されると、高速な照度変動を受けて制御部６１の制御により通常時よりサンプリング周期を短く変更して計測を行い、図２のように情報化した照度情報を送信する。
【００２３】
伝送路３０には、受信器５０−１〜５０−４が接続されており、ここでは、受信器５０−１とワイヤレス照度センサ６０−１が対応付けられ、受信器５０−２とワイヤレス照度センサ６０−２が対応付けられ、受信器５０−３とワイヤレス照度センサ６０−３が対応付けられ、受信器５０−４とワイヤレス照度センサ６０−４が対応付けられている。各受信器５０−１〜５０−４は対応付けられていないワイヤレス照度センサから送信される照度情報を識別情報により選別して受信しないか、受信できない距離にあるものとする。受信器５０−１〜５０−４は、受信した照度情報を照明制御コントローラ２０の制御により送信する。
【００２４】
照明制御コントローラ２０は、ＣＰＵとメモリにより構成され、記憶手段２１、光制御信号送信手段２２、情報設定手段２３として機能している。記憶手段２１は、照明負荷４０−１〜４０−４を制御する制御器１０−１〜１０−４とワイヤレス照度センサ６０−１〜６０−４との対応情報が記憶されるものであり、例えば、図３に示されるようにそれぞれの識別情報が対応付けられて記憶される。図３の識別情報は、照明負荷４０−１〜４０−４を制御する制御器１０−１〜１０−４とワイヤレス照度センサ６０−１〜６０−４の参照符号の前に＃を付したものとしてある。光制御信号送信手段２２は、ワイヤレス照度センサ６０−１〜６０−４から送られる照度情報を受けて該ワイヤレス照度センサ６０−１〜６０−４と対応付けられた制御器を記憶手段２１の情報から特定し、特定した制御器に照度情報に対応する照明光出力の制御を指示する光制御信号を送信するものである。
【００２５】
情報設定手段２３は、記憶手段２１の情報を設定する場合に、各照明負荷４０−１〜４０−４の照明光出力を所定タイミングで変化させる光制御信号を送信すると共に該設定用の光制御信号の送信に応じて得られる各ワイヤレス照度センサ６０−１〜６０−４毎の照度情報変化に基づき照明負荷４０−１〜４０−４を制御する制御器１０−１〜１０−４とワイヤレス照度センサ６０−１〜６０−４との対応情報を作成して記憶手段２１に記憶するものである。
【００２６】
以上の通りに構成された照明制御システムにおいて、照明制御コントローラ２０はタイマを有し、このタイマから得られる時刻情報を参照して定期的に記憶手段２１の情報設定を行う。また、照明制御コントローラ２０には記憶手段２１の情報設定を行わせるための操作キーなどが設けられており、この操作キーを操作することによっても記憶手段２１の情報設定がなされる。次に、記憶手段２１の情報設定の動作を説明する。ここでは情報設定手段２３が、全照明負荷に対して異なるタイミングで照明光出力に変化を与える設定用の光制御信号を送信するものである。
【００２７】
記憶手段２１の情報を設定する場合には、情報設定手段２３から各照明負荷４０−１〜４０−４の照明光出力を所定タイミングで変化させる光制御信号を送信する。具体的には、照明負荷４０−１が全光から２０％程度の低レベルへ調光して０．０１ｓｅｃを経て全光へ戻るように制御器１０−１へ制御信号を送り、これから所定時間（例えば、０．０１ｓｅｃ）の間隔をおいて、照明負荷４０−２が全光から２０％程度の低レベルへ調光して０．０１ｓｅｃを経て全光へ戻るように制御器１０−２へ制御信号を送る。
【００２８】
更に、上記の制御器１０−２に対する制御信号送信から所定時間（例えば、０．０１ｓｅｃ）の間隔をおいて、照明負荷４０−３が全光から２０％程度の低レベルへ調光して０．０１ｓｅｃを経て全光へ戻るように制御器１０−３へ制御信号を送り、これから所定時間（例えば、０．０１ｓｅｃ）の間隔をおいて、照明負荷４０−４が全光から２０％程度の低レベルへ調光して０．０１ｓｅｃを経て全光へ戻るように制御器１０−４へ制御信号を送る。以下、この制御を繰り返す。
【００２９】
上記の制御の結果、照明負荷４０−１〜４０−４が高速点滅を繰り返すことになり、高速な照度変動を検出してワイヤレス照度センサ６０−１〜６０−４の各制御部６１がサンプリング周期を例えば１ｍｓｅｃ間隔に変更し、サンプリングを行って得られる照度情報を図２のように情報化して送信する。
【００３０】
送信された上記照度情報は受信器５０−１〜５０−４が受信し、照明制御コントローラ２０が、受信器５０−１〜５０−４に順次に送信を指示し、各ワイヤレス照度センサ６０−１〜６０−４から送られた上記照度情報が照明制御コントローラ２０に収集される。
【００３１】
照明負荷４０−１〜４０−４が高速点滅を繰り返しているとき、その照度は図４の＃４０−１〜＃４０−４に示されるように変化しており、照明制御コントローラ２０は変化を指示したタイミングをタイマに基づき得ており、その変化指示タイミングを時刻軸に対して並べる。これに対し、照明制御コントローラ２０に収集された照度情報は図２のように時刻情報が含まれて送られて来るので、これらの収集された照度情報を時間軸に並べることができ、例えばワイヤレス照度センサ６０−２の照度情報は図４の＃６０−２のように変化したものとなる。
【００３２】
照明制御コントローラ２０の情報設定手段２３は、上記のような時間軸に並べた対応付けを行い、複数の照明負荷４０−１〜４０−４の照明光出力が変化をするタイミングにおいて一つのワイヤレス照度センサの照度変化を検出し、最も大きく照度情報が変化したときに制御された照明負荷を特定し、当該照明負荷を制御する制御器と当該照度センサとを対応付ける。図４の例では、照明負荷４０−２の照度変化である＃４０−２が最低レベルとなったときに、ワイヤレス照度センサ６０−２では最も大きく照度情報が変化しており、ワイヤレス照度センサ６０−２に対し、照明負荷４０−２を制御する制御器１０−２が対応付けられる。ワイヤレス照度センサ６０−１、６０−３、６０−４についても同様にして対応付けを行い、記憶手段２１に情報が記憶される。
【００３３】
この照明制御システムは、図５に示すように例えばワイヤレス照度センサ６０−２が故障して、通常の照度情報送信を行わなくなったときにも、記憶手段２１の情報を設定が、情報設定手段２３により実行される。ワイヤレス照度センサ６０−２から照度情報の収集ができなくなったことに応じて、情報設定手段２３が起動される。
【００３４】
情報設定手段２３は、所定照明負荷に対して異なるタイミングで照明光出力に変化を与える設定用の光制御信号を送信する。ここでは情報設定手段２３が、故障に係るワイヤレス照度センサ６０−２に対応する照明負荷４０−２の照明光出力を所定タイミングで変化させる光制御信号を送信するものである。具体的には、照明負荷４０−２が例えば０．０１ｓｅｃの間において全光、その後例えば０．０１ｓｅｃの間において全光から２０％程度の低レベルへ調光し、再び全光を例えば０．０１ｓｅｃの間継続させ、以下同様の照明制御を繰り返させるように制御器１０−２へ制御信号を送る。
【００３５】
これにより、照明負荷４０−２のみに対して他の照明負荷４０−１、４０−３、４０−４とは異なるタイミングで照明光出力に変化を与えることができる。このようにして照明負荷４０−２のみが、その照度を図６の＃４０−２に示されるように変化させることになる。
【００３６】
照明負荷４０−２が高速点滅を繰り返すことになり、高速な照度変動を受けるワイヤレス照度センサの各制御部６１がサンプリング周期を例えば１ｍｓｅｃ間隔に変更する。ここでは、照明負荷４０−２の照明光がワイヤレス照度センサ６０−１、６０−３に届くが、ワイヤレス照度センサ６０−４には影響が生じないものとする。ワイヤレス照度センサ６０−１、６０−３がサンプリング周期を例えば１ｍｓｅｃ間隔に変更してサンプリングを行って得られる照度情報を図２のように情報化して送信する。
【００３７】
送信された上記照度情報は受信器５０−１、５０−３が受信し、照明制御コントローラ２０が、受信器５０−１、５０−３に順次に送信を指示し、各ワイヤレス照度センサ６０−１、６０−３から送られた上記照度情報が照明制御コントローラ２０に収集される。
【００３８】
照明負荷４０−２が高速点滅を繰り返しているとき、その照度は図６の＃４０−２に示されるように変化しており、照明制御コントローラ２０は変化指示を与えたタイミングをタイマによる時刻情報に基づき時刻軸に対して並べる。これに対し、照明制御コントローラ２０に収集された照度情報は図２のように時刻情報を備えているので、これら収集された照度情報を時間軸に並べると、例えばワイヤレス照度センサ６０−１の照度情報は図６の＃６０−１のように変化したものとなり、また、ワイヤレス照度センサ６０−３の照度情報は図６の＃６０−３のように変化したものとなる。
【００３９】
照明制御コントローラ２０の情報設定手段２３は上記のような時間軸に並べた対応付けを行い、一つの照明負荷４０−２の照明光出力変化に対する複数のワイヤレス照度センサ６０−１、６０−３の検出照度を比較し、最も大きく照度情報が変化した照度センサを特定する。つまり、ワイヤレス照度センサ６０−３の照度情報である図６の＃６０−３から明らかなようにワイヤレス照度センサ６０−３の照度情報の変化が最大であり、ワイヤレス照度センサ６０−３が特定される。このようにして特定された当該ワイヤレス照度センサ６０−３と当該所定照明負荷４０−２を制御する制御器１０−２とを対応付ける。この結果、記憶手段２１のワイヤレス照度センサ６０−３の識別情報＃６０−３には、図７に示すように照明負荷４０−３を制御する制御器１０−３の識別情報＃１０−３と共に照明負荷４０−２を制御する制御器１０−２の識別情報＃１０−２が記憶される。
【００４０】
このようにして特定された当該ワイヤレス照度センサ６０−３と当該所定照明負荷４０−２を制御する制御器１０−２とを対応付ける。この結果、記憶手段２１のワイヤレス照度センサ６０−３の識別情報＃６０−３には、図７に示すように照明負荷４０−３を制御する制御器１０−３の識別情報＃１０−３と共に照明負荷４０−２を制御する制御器１０−２の識別情報＃１０−２が記憶される。記憶手段２１に図７のような情報が記憶されていることから、照明負荷４０−２を光制御する場合には、ワイヤレス照度センサ６０−３から送られた照度情報に基づき制御がなされることになる。
【００４１】
図８に、第２の実施形態に係る照明制御システムの構成図を示す。この実施形態では、図１の構成に対して、照明負荷４０−２と関連する構成と、照明制御コントローラ２０Ａの構成が異なっている。即ち、照明負荷４０−２と固定照度センサ７１が設けられていると共に、報知手段を構成する音声生成器７２が設けられている。固定照度センサ７１と音声生成器７２は共に伝送路３０に接続されている。ここでは、受信器５０−１、５０−４、制御器１０−３、照明負荷４０−３、ワイヤレス照度センサ６０−１、６０−３、６０−４の図示は省略してある。
【００４２】
固定照度センサ７１は計測した照度の照度情報を照明制御コントローラ２０Ａへ送信する。また、音声生成器７２は、音声生成ＩＣとスピーカと受信・制御部とを有し、受信・制御部により所定アドレス宛の制御信号を受信し、受信・制御部が音声生成ＩＣを制御して、例えば、「照度センサの検出窓が塞がれています。物などを取り去って下さい。」というアナウンスの音声信号を発生させてスピーカから音声出力させる。
【００４３】
照明制御コントローラ２０Ａには、照明制御コントローラ２０の構成に加えて履歴記憶手段２４、検出手段２５を更に備えており、光制御信号送信手段２２Ａが光制御信号送信手段２２以上の処理機能を備えている。履歴記憶手段２４には、ワイヤレス照度センサ６０−２及び固定照度センサ７１により計測された照度の履歴情報が記憶される。図９に記憶された履歴情報の例が示されている通り、照度情報（ＡＡＡ等は数値）が記憶される。検出手段２５は、得られている第１の照度センサであるワイヤレス照度センサ６０−２と第２の照度センサである固定照度センサ７１による計測照度に所定以上の差が生じたか否か検出するものである。
【００４４】
光制御信号送信手段２２Ａは、検出手段２５により差が生じていないことが検出されている場合にワイヤレス照度センサ６０−２と固定照度センサ７１から送られる照度情報を受けてこれらの照度センサと対応付けられた制御器（ここでは、制御器１０−２）に照度情報に対応する照明光出力の制御を指示する光制御信号を送信する一方、検出手段２５により所定以上の差が生じたことが検出された場合に、履歴記憶手段２４に記憶された履歴情報の照度情報に対応する照明光出力の制御を指示する光制御信号をこれらの照度センサと対応付けられた制御器（ここでは、制御器１０−２）に送信するものである。
【００４５】
ワイヤレス照度センサ６０−２と固定照度センサ７１から送られる照度情報は、既に述べた通り図２に示す如きものであるが、ワイヤレス照度センサ６０−２から送られる照度情報に着目すると、図１０に示すように通常状態では、時刻０からＴ１までに示すように変動しており、物などによって検出用窓が覆われたような場合には照度が急激に低下する。一方、固定照度センサ７１から送られる照度情報については、図１０の時刻０からＴ１までに示すように変動がワイヤレス照度センサ６０−２と非同期で続くが、物などによって検出用窓が覆われることは考え難い。このような差に着目して、照明制御コントローラ２０Ａは、図１１に示すフローチャートに対応するプログラムにより動作するように構成され、検出手段２５及び光制御信号送信手段２２Ａを実現するので、このフローチャートに基づき動作を説明する。
【００４６】
照明制御コントローラ２０Ａは、ワイヤレス照度センサ６０−２と固定照度センサ７１から送られる照度情報を受信し（Ｓ１１）、二つのセンサによる照度の差を求め、予め保持している閾値と比較する（Ｓ１２）。ステップＳ１２による比較の結果、照度の差が閾値よりも大きくなったかを検出する（Ｓ１３）。
【００４７】
ステップＳ１３において、照度の差が閾値以下であれば、通常の照明制御処理を実行する（Ｓ１４）。このステップＳ１４では、例えばワイヤレス照度センサ６０−２と固定照度センサ７１から送られる照度情報の平均値を求め、予め定められた制御目標照度となるように制御器１０−２へ光制御信号を送信する。これを受けた制御器１０−２は、照明負荷４０−２の照明制御（調光制御など）を行う。
【００４８】
一方、ステップＳ１３において、照度の差が閾値よりも大きい場合には、履歴記憶手段２４の情報から急変した側の照度センサ（通常は、ワイヤレス照度センサ６０−２）により得られた照度情報を履歴記憶手段２４に記憶された前回の照度情報として、照明制御処理を実行する（Ｓ１５）。ステップＳ１５に続いて、ワイヤレス照度センサ６０−２の出力に急変が生じた場合には、音声生成器７２へ制御信号を送信し、例えば、「照度センサの検出窓が塞がれています。物などを取り去って下さい。」というアナウンスの音声信号を発生させてスピーカから音声出力させることによる警告報知を行う（Ｓ１６）。
【００４９】
このように本実施の形態により、一方の照度センサが異常状態となったようなときに履歴情報を用いて適切に照明制御を行うことができると共に、誤った照度情報による誤制御を防止することが可能である。また、異常状態を報知し、異常から復旧することが可能となる。なお、本実施の形態では、音声による報知であったが、回転灯を点灯して回転させる報知を行っても良く、また、表示パネルに文字情報を表する等の手法による報知でも良く、更に、制御器１０−２へ光制御信号を送信し、照明負荷４０−２を点滅させて報知を行うようにしても良い。また、照明負荷４０−２に対応付けられた固定照度センサ７１を備えるようにしたが、他の照明負荷４０−１、４０−３、４０−４に対応付けられた固定照度センサをそれぞれ備える構成とすることも可能である。
【図面の簡単な説明】
【００５０】
【図１】本発明に係る照明制御システムの第１の実施形態を示す構成図。
【図２】本発明に係る照明制御システムにおいて照度センサから送られる照度情報の内容を示す図。
【図３】本発明に係る照明制御システムの照明制御コントローラにおいて記憶される、照明負荷を制御する制御器と照度センサとの対応情報の内容を示す図。
【図４】本発明に係る照明制御システムの照明制御コントローラに備えられる記憶手段の情報を設定する場合における、照明負荷から出力される光の照度変化と一つの照度センサの計測照度変化の一例を示す図。
【図５】本発明に係る照明制御システムの第１の実施形態において一つの照度センサが故障した場合を示す構成図。
【図６】本発明に係る照明制御システムの照明制御コントローラに備えられる記憶手段の情報を設定する場合における、一つの照明負荷から出力される光の照度変化と複数の照度センサの計測照度変化の一例を示す図。
【図７】本発明に係る照明制御システムの第１の実施形態において一つの照度センサが故障した場合に記憶手段の情報を設定した結果の対応情報の内容を示す図。
【図８】本発明に係る照明制御システムの第２の実施形態を示す構成図。
【図９】本発明に係る照明制御システムの第２の実施形態において記憶される履歴情報の一例を示す図。
【図１０】本発明に係る照明制御システムの第２の実施形態において用いられる照度センサの計測照度の変化の一例を示す図。
【図１１】本発明に係る照明制御システムの第２の実施形態の動作を示すフローチャート。
【符号の説明】
【００５１】
１０−１〜１０−４  制御器
２０、２０Ａ  照明制御コントローラ
２１  記憶手段
２２、２２Ａ  光制御信号送信手段
２３  情報設定手段
２４  履歴記憶手段
２５  検出手段
３０  伝送路
４０−１〜４０−４  照明負荷
５０−１〜５０−４  受信器
６０−１〜６０−４  ワイヤレス照度センサ
６１  制御部
６２  センサ部
６３  送信部
７１  固定照度センサ
７２  音声生成器
【図１】
2009158183.tif 000003
【図２】
2009158183.tif 000004
【図３】
2009158183.tif 000005
【図４】
2009158183.tif 000006
【図５】
2009158183.tif 000007
【図６】
2009158183.tif 000008
【図７】
2009158183.tif 000009
【図８】
2009158183.tif 000010
【図９】
2009158183.tif 000011
【図１０】
2009158183.tif 000012
【図１１】
2009158183.tif 000013